(57)【要約】【課題】  放送内容に応じて変化する情報検索を容易に行うことができるデジタル放送受信機を提供する。【解決手段】  映像や音声と共にそれら以外の付与情報を含むデジタル放送信号を受信するデジタル放送受信機において、放送局からの放送内容に応じて変化する付与情報を取得して記憶部に記憶する記憶手段（ステップＳ１０４）と、記憶部に記憶された付与情報を画面上に選択可能に表示する表示手段（ステップＳ１０７）と、選択された付与情報に基づき通信制御部を介して情報検索を行う検索手段（ステップＳ１１２，Ｓ１１６）とを備えた。【選択図】        図２
2008294718.tif 000002
【特許請求の範囲】
【請求項１】
映像や音声と共にそれら以外の付与情報を含むデジタル放送信号を受信するデジタル放送受信機において、
放送局からの放送内容に応じて変化する付与情報を取得して記憶部に記憶する記憶手段と、前記記憶部に記憶された付与情報を画面上に選択可能に表示する表示手段と、選択された付与情報に基づき通信制御部を介して情報検索を行う検索手段とを備えたことを特徴とするデジタル放送受信機。
【請求項２】
前記付与情報として検索キーワードを有することを特徴とする請求項１記載のデジタル放送受信機。
【請求項３】
前記付与情報として接続先指定情報を有することを特徴とする請求項１又は請求項２記載のデジタル放送受信機。
【請求項４】
前記検索キーワードを用いた情報検索は、複数の検索サイトから選択可能にしたことを特徴とする請求項２記載のデジタル放送受信機。
【請求項５】
前記検索キーワードを用いた情報検索は、検索キーワードを複数組み合わせた検索を可能としたことを特徴とする請求項２記載のデジタル放送受信機。
【請求項６】
前記検索キーワードを用いた情報検索は、外部記憶装置からの検索キーワードの追加を可能としたことを特徴とする請求項２記載のデジタル放送受信機。
【請求項７】
前記表示手段は、前記記憶部に記憶された付与情報を画面上にメニュー形式でリモコンからの操作によって選択可能に表示したことを特徴とする請求項１ないし請求項６のいずれかに記載のデジタル放送受信機。
【発明の詳細な説明】
【技術分野】
【０００１】
本願発明は、例えばデジタル衛星放送等に見られるように、映像や音声と共にそれら以外の付与情報（番組情報など）を送信する放送システムに対応するデジタル放送受信機に関するものである。
【背景技術】
【０００２】
従来の番組情報に関するサービスは、ＥＰＧ（Electric Program Guide）、番組詳細情報、番組検索等があげられるが、全て放送局側から送信される一定の情報内での情報提示サービスとなり、多岐に渡るユーザの検索要求には到底応じられるレベルにはなかった。
【０００３】
一方、特許文献１に示される「情報検索方法、情報検索システム、受信装置、情報処理装置」では、ＥＰＧの番組説明では得られない，番組やその番組の出演者に関する各種の情報をインターネットのウェブサイトから得られるようにするため、パーソナルコンピュータへＥＰＧのテキスト情報が送られ、送られたテキスト情報からキーワードが抽出されてインターネット上の検索サイトで検索が実行される。
【０００４】
また、特許文献２に示される「デジタル放送に於ける番組・ＣＭコンテンツ情報提供システム」では、受信中の番組・ＣＭより番組・ＣＭコンテンツに関するデータベースに記録したコンテンツ情報を検索させ、商品取引を行う手段やコンテンツ情報に設定されたホームページアドレスよりホームページに接続する手段を備えている。
【０００５】
また、特許文献３に示される「受信端末装置」では、ユーザが操作入力したキーワードに基づく情報検索を、テレビ放送信号から抽出したＥＰＧデータとインターネット上の検索エンジンとを用いて同時に行い、その２つの検索の内の何れかで検索結果が得られると、情報表示を行なうようになっている。
【特許文献１】特開２００４−２３３４５号公報
【特許文献２】特開２００２−２９０９４７号公報
【特許文献３】特開２００６−２７０７３４号公報
【発明の開示】
【発明が解決しようとする課題】
【０００６】
以上の背景技術を踏まえると、一番組あたりで検索に使える情報は特許文献１や特許文献３に示されるように、検索キーワードがＰＣ（パーソナルコンピュータ）からの入力であったり、ユーザのマニュアル入力であったりして煩わしい。また、放送から取得するキーワードも固定的なＥＰＧや番組詳細情報等でしかなく検索キーワードとしては乏しい。
【０００７】
また、特許文献２では、データベース化された情報の検索であったり、ＣＭに特化した商品情報であったりして、検索情報に偏りがある。しかも、データベースの規模が肥大していけば行くほど、日々閉鎖と公開を繰り返して激変しているサイトのリンク先のメンテナンス等は現実的でないという問題があった。
【０００８】
そこで、本願発明はこのような課題を解決するためになされたものであり、放送内容に応じて変化する情報検索を容易に行うことができるデジタル放送受信機を提供することを目的とするものである。
【課題を解決するための手段】
【０００９】
上記のような目的を達成するために、本願の請求項１に係る発明は、映像や音声と共にそれら以外の付与情報を含むデジタル放送信号を受信するデジタル放送受信機において、放送局からの放送内容に応じて変化する付与情報を取得して記憶部に記憶する記憶手段と、前記記憶部に記憶された付与情報を画面上に選択可能に表示する表示手段と、選択された付与情報に基づき通信制御部を介して情報検索を行う検索手段とを備えたことを特徴とするものである。
【００１０】
請求項２に係る発明では、前記付与情報として検索キーワードを有することを特徴とするものである。
【００１１】
請求項３に係る発明では、前記付与情報として接続先指定情報を有することを特徴とするものである。
【００１２】
請求項４に係る発明では、前記検索キーワードを用いた情報検索は、複数の検索サイトから選択可能にしたことを特徴とするものである。
【００１３】
請求項５に係る発明では、前記検索キーワードを用いた情報検索は、検索キーワードを複数組み合わせた検索を可能としたことを特徴とするものである。
【００１４】
請求項６に係る発明では、前記検索キーワードを用いた情報検索は、外部記憶装置からの検索キーワードの追加を可能としたことを特徴とするものである。
【００１５】
請求項７に係る発明では、前記表示手段は、前記記憶部に記憶された付与情報を画面上にメニュー形式でリモコンからの操作によって選択可能に表示したことを特徴とするものである。
【発明の効果】
【００１６】
本願の請求項１記載の発明によれば、放送局からの放送内容に応じて変化する付与情報を取得して記憶部に記憶する記憶手段と、記憶部に記憶された付与情報を画面上に選択可能に表示する表示手段と、選択された付与情報に基づき通信制御部を介して情報検索を行う検索手段とを備えたことにより、放送内容に応じて変化する情報検索を容易に行うことができる。
【００１７】
請求項２記載の発明によれば、前記付与情報として検索キーワードを有することで、放送局が放送内容に対応した検索キーワードを番組等の進行に従ってタイムリーに変化させて送出することで、番組等の放送内容に最も適した検索キーワードを随時提供することができ、放送内容に最も適した情報検索を容易に行うことができる。
【００１８】
請求項３記載の発明によれば、前記付与情報として接続先指定情報，すなわちＵＲＬ（Uniform Resource Locator）情報を有することで、キーワード検索だけでなく、直接ＵＲＬ情報を含ませ変化させることで、ユーザはキーワード検索をせずに、情報サイトを渡り歩くことができる。
【００１９】
請求項４記載の発明によれば、前記検索キーワードを用いた情報検索は、複数の検索サイトから選択可能にすることにより、一般に公開されて使用されている複数の一般検索サイトや、特定のサーバによる専用の検索サイトのいずれでも検索可能とすることができる。
【００２０】
請求項５記載の発明によれば、前記検索キーワードを用いた情報検索は、検索キーワードを複数組み合わせた検索を可能としたことにより、情報検索の絞り込みが容易になる。
【００２１】
請求項６記載の発明によれば、前記検索キーワードを用いた情報検索は、外部記憶装置からの検索キーワードの追加を可能とすることにより、ユーザの好み等を追加した情報検索の絞り込みが容易になる。
【００２２】
請求項７記載の発明によれば、前記表示手段は、前記記憶部に記憶された付与情報を画面上にメニュー形式でリモコンからの操作によって選択可能に表示したことにより、情報検索の操作性が向上し、情報検索が更に容易になる。
【発明を実施するための最良の形態】
【００２３】
以下、本願発明の一実施形態を図面を参照して詳細に説明する。図１は、本実施形態のデジタル放送受信機の構成を示すブロック図である。
【００２４】
図１において、アンテナ１は、放送局や衛星等から送られてくるデジタル放送信号を受信する。チューナ２は、映像・音声データ等を含む高周波デジタル変調信号のうちから特定周波数の信号を取り出す。また、チューナ２は、復調回路，逆インタリーブ回路，誤り訂正回路などから成る復調部を備えることにより、選択したデジタル変調信号を復調してトランスポート・ストリーム（以後、ＴＳと略記する）を出力する。
【００２５】
ＤＥＭＵＸ（デマルチプレクサ）３は、前記ＴＳをＭＰＥＧ２（Moving Picture Experts Group2）のビデオストリーム，オーディオストリームおよびＰＳＩ／ＳＩ（Program Specific Information/Service Information）等に分離する。ＤＥＭＵＸ３は、ビデオストリームとオーディオストリームをデコーダ４に供給し、ＰＳＩ／ＳＩに含まれる番組情報等をＣＰＵ５で解析し、ＥＰＧや録画予約等のサービスをユーザに提供する。
【００２６】
ＴＳには複数のチャンネルが多重化されており、この中から任意のチャンネルを選択するための処理は、前記ＰＳＩ／ＳＩから任意のチャンネルがＴＳ中でどのパケットＩＤで多重化されているかといったデータを取り出すことで可能となる。また、ＴＳの選定もＰＳＩ／ＳＩの情報に基づいて行うことができる。
【００２７】
デコーダ４は、ビデオストリームに対してデコードを行うビデオデコーダと、オーディオストリームに対してデコードを行うオーディオデコーダを備える。ビデオデコーダは、入力された可変長符号を復号して量子化係数や動きベクトルを求め、逆ＤＣＴ（Discrete Cosine Transform）変換や動きベクトルに基づく動き補償制御等を行う。オーディオデコーダは、入力された符号化信号を復号して音声データを生成する。映像データはスケーラ６を経て映像処理回路７に出力され、音声データは音声処理回路８に出力される。
【００２８】
映像処理回路７は、スケーラ６を経た映像データを受け取ってＤ／Ａ（Digital/Analog）変換を行い、例えばコンポジット映像信号に変換して、ディスプレイ９に出力する。
【００２９】
音声処理回路８は、デコーダ４から出力された音声データを受け取ってＤ／Ａ変換を行い、例えば右（Ｒ）音のアナログ信号及び左（Ｌ）音のアナログ信号を生成して、スピーカ１０に出力する。
【００３０】
ＯＳＤ（On-Screen Display）回路１２は、ＣＰＵ５に制御されてディスプレイ９の画面上に文字やグラフィックを重畳して描画する。
【００３１】
記憶部１２は、ハードディスク等から成る内部記憶装置で、録画データの他、本願発明に係わる検索キーワードやＵＲＬデータを蓄積することができる。通信制御部１３は、インターネット等とのネットワーク通信を制御するものである。入出力部１４は、ＵＳＢ（Universal Serial Bus）等を介して外部記憶装置等を接続可能とするものである。リモコン受信部１５は、図示しないリモコンからの信号を受信するものである。
【００３２】
ＣＰＵ５は、ＲＯＭ（Read Only Memory）１６に格納されたプログラムをＲＡＭ（Random Access Memory）を作業領域に用いて実行して、上述した各部を制御するもので、このＣＰＵ５が後述するフローチャートで示す処理を実行することにより、本願発明における記憶手段や表示手段や検索手段等が実現される。
【００３３】
このような構成において、放送局側では一つの番組放送の中で移り変わる内容に合わせた検索キーワード等を番組付与情報として送信する。ここでいう番組付与情報とは、前述した検索キーワードやＵＲＬのことで、例えば社団法人電波産業会の地上デジタルテレビジョン放送運用規定ARIB TR-B14、デジタル放送に使用する番組配列情報標準規格ARIB STD-B10に示されたH-EIT[p/f]（固定受信機向けイベント情報テーブルでｐは現在番組情報、ｆは次番組情報）の拡張形式イベント記述子に付加することが考えられる。
【００３４】
上記拡張形式イベント記述子は、イベント名（番組名）及びそのイベントに関する短い文字記述を伝送するために使用される短形式イベント記述子に付け加えて使用され、イベントの詳細記述を提供可能とするものである。１イベントに関して２５６バイト長以上の情報を伝送可能とするために、１つ以上の拡張形式イベント記述子を使用することができるようになっている。
【００３５】
図２は、本願発明の一実施形態における処理の流れを示すフローチャートであり、以下、このフローチャートを参照して実施形態の動作について説明する。
【００３６】
最初のステップＳ１０１では、通常のＴＳのフィルタリング情報を監視しているブロックからの通知、若しくはリモコンキーからの入力を監視しているブロックからの通知をイベント発生として監視している。
【００３７】
上記ステップＳ１０１でイベント発生（通知）があると、当該通知がセクションのH-EIT[p/f]がヒットした通知であるかどうかをチェックする（ステップＳ１０２）。
【００３８】
H-EIT[p/f]がヒットした通知であれば、H-EIT[p/f]内に拡張形式イベント記述子が含まれ、更にその記述子に検索情報があるか否かを確認する（ステップＳ１０２のＹ→ステップＳ１０３）。
【００３９】
検索情報が存在する場合、次の検索情報取得により更新、若しくは追加されるまで一時的に蓄積する（ステップＳ１０３のＹ→ステップＳ１０４）。検索情報が存在しない場合は、H-EIT[p/f]から取得できる一般的なキーワード（番組名や番組詳細情報等）を検索情報として取得する（ステップＳ１０３のＮ→ステップＳ１０５）。もちろん、拡張形式イベント記述子に検索情報が存在する場合でも、一般的な検索情報を追加で取得することになんら問題は無い。更に、例えばＵＳＢ等の入出力部１４に接続した外部記憶装置を使用して検索キーワードを追加することもなんら問題は無い。このようにすれば、ユーザの好み等を追加した情報検索の絞り込みが容易になる。
【００４０】
次に、ユーザによるリモコンの検索キー押下であった場合（ステップＳ１０６のＹ）、それまでに取得できて蓄積している検索情報を、図３に示すように画面に表示する（ステップＳ１０７）。
【００４１】
ユーザは、図３のように表示された検索情報を元にどの検索タイプを実行するかをリモコン操作で決定するので、ステップＳ１０８では、ユーザの検索タイプの選択を判定する。検索タイプが複合キーワードとして検索する場合、その検索式をユーザに構築させるために図４に示すような操作画面を提供する（ステップＳ１０９）。ユーザは、画面に従ってリモコンにより希望の検索式を構築することができる。このように、検索キーワードを複数組み合わせた検索を可能としたことにより、情報検索の絞り込みが容易になる。
【００４２】
ユーザが複合キーワードによる検索を希望しない場合、ステップＳ１１０で単体のキーワード選択も可能で、検索キーが押下されて検索条件が決定すれば、検索を実行し結果を表示する（ステップＳ１１１のＹ→ステップＳ１１２）。
【００４３】
また、キーワードでなくＵＲＬ指定をする場合は、検索情報にＵＲＬが含まれていれば（ステップＳ１１３のＹ）、ＵＲＬの情報を元に１つ若しくは複数をＵＲＬ選択画面にリスト表示し（ステップＳ１１４）、ユーザ選択によって、キーワード検索ではなく直接ページにジャンプし結果を表示する（ステップＳ１１５のＹ→ステップＳ１１６）。このように、キーワード検索だけでなく、直接ＵＲＬ情報を含ませ変化させることで、ユーザはキーワード検索をせずに、情報サイトを渡り歩くことができる。
【００４４】
図３は、上記ステップＳ１０７，Ｓ１０８時のディスプレイ９上の表示画面例である。この例では、ディスプレイ９上の表示画面にキーワード表示部９ａ、ＵＲＬ表示部９ｂ及び検索タイプ選択ボタン９ｃ，９ｄ，９ｅがある。
【００４５】
複合キーワードボタン９ｃを押下した場合、図４に示すような検索条件を設定できる画面に遷移する。図４の例では、選択可能なキーワード表示部９ｆ、条件式ボタン９ｇ，９ｈ，９ｉ、作成式表示部９ｊ及び検索ボタン９ｋから構成されている。
【００４６】
図４では、検索キーワードとして網掛け表示の「朝」，「事件」，「桜」の３つキーワードが選択されており、これらのキーワードに条件式ボタン９ｇ，９ｈによる条件「両方(*)」，「含む(+)」が与えられ、「朝」と「事件」というキーワードを必ず含むか、「桜」というキーワードを含んでいれば上記「朝」と「事件」というキーワードを必ず含む条件を満たす必要は無い、という条件になる。
【００４７】
このように、放送内容に応じた柔軟な検索キーワードの変更やＵＲＬへの誘導を行うことで、ユーザの情報検索の絞込みを補助し、またニュース速報等に見られるように番組に直接関連性の無い突発的な場合にも更なる情報検索の手段をユーザに提供することで、ユーザの情報検索範囲が拡大すると共に、放送内容に応じて変化する情報検索を容易に行うことができる。
【００４８】
また、放送局が放送内容に対応した検索キーワードを番組等の進行に従ってタイムリーに変化させて送出することで、番組等の放送内容に最も適した検索キーワードを随時提供することができ、放送内容に最も適した情報検索を容易に行うことができる。
【００４９】
また、検索キーワードを用いた情報検索は、初期設定等により予め特定の検索サイトを設定しておくことができるが、複数の検索サイトから選択可能にすることにより、一般に公開されて使用されている複数の一般検索サイトや、特定のサーバによる専用の検索サイトのいずれでも検索可能とすることができ、ユーザの好みや検索精度等による選択の自由度が向上する。
【００５０】
さらに、検索キーワードやＵＲＬ等の検索情報を画面上にメニュー形式でリモコンからの操作によって選択可能に表示したことにより、情報検索の操作性が向上し、情報検索が更に容易になる。
【図面の簡単な説明】
【００５１】
【図１】本願発明の一実施形態におけるデジタル放送受信機の構成を示すブロック図図。
【図２】本願発明の一実施形態における処理の流れを示すフローチャート。
【図３】検索情報を表示して検索タイプ選択時のディスプレイ上の表示画面例を示す図。
【図４】検索条件設定時の表示画面例を示す図。
【符号の説明】
【００５２】
１  アンテナ
２  チューナ
３  ＤＥＭＵＸ
４  デコーダ
５  ＣＰＵ
６  スケーラ
７  映像処理回路
８  音声処理回路
９  ディスプレイ
９ａ，９ｆ  キーワード表示部
９ｂ  ＵＲＬ表示部
９ｃ，９ｄ，９ｅ  検索タイプ選択ボタン
９ｇ，９ｈ，９ｉ  条件式ボタン
９ｊ  作成式表示部
９ｋ  検索ボタン
１０  スピーカ
１１  ＯＳＤ回路
１２  記憶部
１３  通信制御部
１４  入出力部
１５  リモコン受信部
１６  ＲＯＭ
１７  ＲＡＭ
【図１】
2008294718.tif 000003
【図２】
2008294718.tif 000004
【図３】
2008294718.tif 000005
【図４】
2008294718.tif 000006